(57)【要約】【課題】製造簡単及び低コストの振動スイッチを提供すること。【解決手段】本体５０に小収容部５１、中収容部５２、大収容部５３が形成されている。中収容部５２の壁に貫通孔５２０が形成され、小収容部５１と中収容部５２の間にリング状ブロック５４が設けられる。小収容部５１の壁に貫通孔５１０が形成され、導電部材３０は中収容部５２の上部に設け、その外縁に導電ロッド３００が設けられ、導電部材３１はリング状ブロック５４に設けられる。外縁に導電ロッド３１０が設けられ、導電部材３２は大収容部５３から本体５０の上方へ延伸され、回路板２０は本体５０の上部に設けられる。導電部材３０，３１の導電ロッド３００，３１０と導電部材３２が夫々回路板２０に連接され、スプリング４０及び振動ブロック４１は順に小収容部５１の内部に置き込むことを特徴とする。【選択図】　図２
0003099128.tif 000002
【実用新案登録請求の範囲】
【請求項１】
バッテリー（１０）と、電子部材（２１）を有する回路板（２０）と、導電部材（３０）（３１）（３２）と、スプリング（４０）と、導電可能の振動ブロック（４１）と、中空の本体（５０）とを備える振動スイッチであって、
本体（５０）はシリンダー状であり、本体（５０）の上部に一番小さい内径を有する小収容部（５１）が形成され、バッテリー（１０）を収容するために、本体（５０）の下部に一番大きい内径を有する大収容部（５３）が形成され、中段に中収容部（５２）が形成されると共に、中収容部（５２）の壁に大収容部（５３）まで貫通する貫通孔（５２０）が形成され、小収容部（５１）と中収容部（５２）の間にリング状ブロック（５４）が設けられると共に、小収容部（５１）の壁に中収容部（５２）まで貫通する貫通孔（５１０）が形成され、
前記導電部材（３０）は中収容部（５２）の上部に設ける円状プレートを有すると共に、その外縁に貫通孔（５１０）を通じて小収容部（５１）に延設する導電ロッド（３００）が設けられ、導電部材（３１）は小収容部（５１）の底部におけるリング状ブロック（５４）に設けられるリング状プレートを有すると共に、外縁に本体（５０）の上方へ延伸する導電ロッド（３１０）が設けられ、導電部材（３２）はロッドであると共に、大収容部（５３）から貫通孔（５２０）を通じて本体（５０）の上方へ延伸され、
前記回路板（２０）は本体（５０）の上部に設けられると共に、前記導電部材（３０）（３１）の導電ロッド（３００）（３１０）と導電部材（３２）が夫々回路板（２０）に連接され、前記スプリング（４０）及び振動ブロック（４１）は順に小収容部（５１）の内部に置き込むことを特徴とする振動式スイッチ。
【請求項２】
本体（５０）の底部に底蓋（６０）が設けられることにより、バッテリー（１０）を本体（５０）の内部に固定することを特徴とする請求項１に記載の振動スイッチ。
【請求項３】
前記導電部材（３０）（３１）の導電ロッド（３００）（３１０）と導電部材（３２）が溶接によって夫々回路板（２０）に連接されることを特徴とする請求項１又は２に記載の振動スイッチ。
【考案の詳細な説明】
【０００１】
【考案の属する技術分野】
本考案は、特に製造簡単及び低コストの振動スイッチに関するものである。
【０００２】
【従来の技術】
従来の振動スイッチは、例えば台湾実用新案公告第２５５５４３号の「磁感式電源制御器」及び台湾実用新案公告第２５７３８６号の「振動式スイッチ」に開示されるように、スイッチの振動によってスイッチの内部におけるバッテリーと電子部材の電気接続をオン又はオフに制御することを行っている。
【０００３】
この従来の振動スイッチはバッテリーを収容するためのベースを有し、ベースに夫々バッテリーの正極及び陰極と連接する導電部材が設けられ、導電部材の間にスプリングが設けられると共に、該導電部材が電子部材を有する回路板に連接されることにより、バッテリーの電力を電子部材に提供する。
【０００４】
（考案の開示）
【考案が解決しようとする課題】
しかしながら、前記従来の振動スイッチは導電部材を設けるために、固定部材を用いると共に、バッテリーをベースの内部に固定するために蓋も用いるので、製造コストが高いだけでなく、製造手続も複雑であるという問題を有する。
【０００５】
そこで、案出されたのが本考案であって、製造簡単及び低コストの振動スイッチを提供することを目的としている。
【０００６】
【課題を解決するための手段】
本願の請求項１の考案は、バッテリー（１０）と、電子部材（２１）を有する回路板（２０）と、導電部材（３０）（３１）（３２）と、スプリング（４０）と、導電可能の振動ブロック（４１）と、中空の本体（５０）とを備える振動スイッチであって、
本体（５０）はシリンダー状であり、本体（５０）の上部に一番小さい内径を有する小収容部（５１）が形成され、バッテリー（１０）を収容するために、本体（５０）の下部に一番大きい内径を有する大収容部（５３）が形成され、中段に中収容部（５２）が形成されると共に、中収容部（５２）の壁に大収容部（５３）まで貫通する貫通孔（５２０）が形成され、小収容部（５１）と中収容部（５２）の間にリング状ブロック（５４）が設けられると共に、小収容部（５１）の壁に中収容部（５２）まで貫通する貫通孔（５１０）が形成され、
前記導電部材（３０）は中収容部（５２）の上部に設ける円状プレートを有すると共に、その外縁に貫通孔（５１０）を通じて小収容部（５１）に延設する導電ロッド（３００）が設けられ、導電部材（３１）は小収容部（５１）の底部におけるリング状ブロック（５４）に設けられるリング状プレートを有すると共に、外縁に本体（５０）の上方へ延伸する導電ロッド（３１０）が設けられ、導電部材（３２）はロッドであると共に、大収容部（５３）から貫通孔（５２０）を通じて本体（５０）の上方へ延伸され、
前記回路板（２０）は本体（５０）の上部に設けられると共に、前記導電部材（３０）（３１）の導電ロッド（３００）（３１０）と導電部材（３２）が夫々回路板（２０）に連接され、前記スプリング（４０）及び振動ブロック（４１）は順に小収容部（５１）の内部に置き込むことを特徴とする振動式スイッチ及び、
本願の請求項２の考案は、本体（５０）の底部に底蓋（６０）が設けられることにより、バッテリー（１０）を本体（５０）の内部に固定することを特徴とする請求項１に記載の振動スイッチ及び、
本願の請求項３の考案は、前記導電部材（３０）（３１）の導電ロッド（３００）（３１０）と導電部材（３２）が溶接によって夫々回路板（２０）に連接されることを特徴とする請求項１又は２に記載の振動スイッチ、
を提供する。
【０００７】
（産業上の利用可能性）
本体の内部に三つの収容部が形成されると共に、収容部における貫通孔によって導電部材を固定することにより、従来の固定部材が要らなく、更に、電子部材を有する回路板が蓋として本体の上部に設けられるので、上蓋も要らなく、従って、製造簡単及び低コストを達成することができる。
【０００８】
【考案の実施の形態】
（考案を実施するための最良の形態）
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係る振動スイッチの分解斜視図であり、図２は本考案に係る振動スイッチのオフ状態を示す断面図であり、図３は本考案に係る振動スイッチのオン状態を示す断面図であり、図４は本考案に係る振動スイッチの他の実施例のオフ状態を示す断面図である。
【００１０】
図１及び図２、図４に示すように、本考案に係る振動スイッチはバッテリー（１０）と、電子部材（本実施例には発光ダイオード）（２１）を有する回路板（２０）と、導電部材（３０）（３１）（３２）と、スプリング（４０）と、導電可能の振動ブロック（４１）と、中空の本体（５０）とを備える。
【００１１】
本体（５０）はシリンダー状であり、本体（５０）の上部に一番小さい内径を有する小収容部（５１）が形成され、下部に一番大きい内径を有する大収容部（５３）が形成され、中段に中収容部（５２）が形成されると共に、中収容部（５２）の壁に大収容部（５３）まで貫通する貫通孔（５２０）が形成され、小収容部（５１）と中収容部（５２）の間にリング状ブロック（５４）が設けられると共に、小収容部（５１）の壁に中収容部（５２）まで貫通する貫通孔（５１０）が形成される。
【００１２】
前記導電部材（３０）は中収容部（５２）の上部に設ける円状プレートを有すると共に、その外縁に貫通孔（５１０）を通じて小収容部（５１）に延設する導電ロッド（３００）が設けられ、導電部材（３１）は小収容部（５１）の底部におけるリング状ブロック（５４）に設けられるリング状プレートを有すると共に、外縁に本体（５０）の上方へ延伸する導電ロッド（３１０）が設けられ、導電部材（３２）はロッドであると共に、大収容部（５３）から貫通孔（５２０）を通じて本体（５０）の上方へ延伸される。
【００１３】
前記電子部材（２１）を有する回路板（２０）は蓋として本体（５０）の上部に設けられると共に、前記導電部材（３０）（３１）の導電ロッド（３００）（３１０）と導電部材（３２）が溶接によって夫々回路板（２０）に連接され、前記スプリング（４０）及び振動ブロック（４１）は順に小収容部（５１）の内部に置き込む。
【００１４】
本考案に係る振動スイッチを使用する際、先ず二個又は三個のバッテリー（１０）を本体（５０）内の中収容部（５２）と大収容部（５３）に置き込むと共に、中収容部（５２）における導電部材（３０）の円状プレートと接触し、本体（５０）の底部に底蓋（６０）が設けられることにより、バッテリー（１０）を本体（５０）の内部に固定する。
【００１５】
図２又は図４に示すように、本考案に係る振動スイッチの操作原理は従来と等しく、本体（５０）の振動前、振動ブロック（４１）と中収容部（５２）における導電部材（３０）の円状プレートと接触しないので、オフ状態とする。
【００１６】
図３に示すように、本体（５０）の振動している際、振動ブロック（４１）は振動によってスプリング（４０）を圧縮すると共に、振動ブロック（４１）の底部が導電部材（３０）の円状プレートと接触することにより、オン状態になるので、バッテリー（１０）の電力を回路板（２０）を通じて電子部材（２１）に提供することができる。
【００１７】
【考案の効果】
本考案は上記の課題を解決するため、本体の内部に三つの収容部が形成されると共に、収容部における貫通孔によって導電部材を固定することにより、従来の固定部材が要らなく、更に、電子部材を有する回路板が蓋として本体の上部に設けられるので、上蓋も要らなく、従って、製造簡単及び低コストを達成することができる。
【図面の簡単な説明】
【図１】本考案に係る振動スイッチの分解斜視図である。
【図２】本考案に係る振動スイッチのオフ状態を示す断面図である。
【図３】本考案に係る振動スイッチのオン状態を示す断面図である。
【図４】本考案に係る振動スイッチの他の実施例のオフ状態を示す断面図である。
【符号の説明】
１０　　　　バッテリー
２０　　　　回路板
２１　　　　電子部材
３０　　　　導電部材
３００　　　導電ロッド
３１　　　　導電部材
３１０　　　導電ロッド
３２　　　　導電部材
４０　　　　スプリング
４１　　　　振動ブロック
５０　　　　本体
５１　　　　小収容部
５１０　　　貫通孔
５２　　　　中収容部
５２０　　　貫通孔
５３　　　　大収容部
５４　　　　リング状ブロック
６０　　　　底蓋
【図１】
0003099128.tif 000003
【図２】
0003099128.tif 000004
【図３】
0003099128.tif 000005
【図４】
0003099128.tif 000006